(57)【特許請求の範囲】
【請求項１】
通信元となる通信端末のＩＰアドレスと該通信端末に連係する移動機の電話番号との組み合わせが、予め登録したＩＰアドレスおよび電話番号の組み合わせと一致したときのみ、当該通信端末から当該移動機を介し、通信網を経由した通信先とのパケット通信を許可するようにした通信サービスであって、
前記通信端末および前記移動機の組が連係するに際し、該通信端末は、
該移動機の電話番号に対応する該移動機内に記憶されたＩＰアドレスを読み出し、
その読み出したＩＰアドレスを用いて前記パケット通信を行うことを特徴とするＩＰアドレス設定方法。
【請求項２】
通信元となる通信端末のＩＰアドレスと該通信端末に連係する移動機の電話番号との組み合わせが、予め登録したＩＰアドレスおよび電話番号の組み合わせと一致したときのみ、当該通信端末から当該移動機を介し、通信網を経由した通信先とのパケット通信を許可するようにした通信サービスであって、
前記の予め登録したＩＰアドレスおよび電話番号の組み合わせのリストを、それぞれの組にリスト番号を付して前記通信端末内に予め記憶しておき、
前記通信端末および前記移動機の組が連係するに際し、該通信端末は、
該移動機に対応する該移動機内に記憶された前記リスト番号を読み出し、
その読み出したリスト番号に対応する、前記リストから検索したＩＰアドレスを用いて前記パケット通信を行うことを特徴とするＩＰアドレス設定方法。
【請求項３】
通信元となる通信端末のＩＰアドレスと該通信端末に連係する移動機の電話番号との組み合わせが、予め登録したＩＰアドレスおよび電話番号の組み合わせと一致したときのみ、当該通信端末から当該移動機を介し、通信網を経由した通信先とのパケット通信を許可するようにした通信サービスであって、
前記の予め登録したＩＰアドレスおよび電話番号の組み合わせのリストを、前記通信端末内に予め記憶しておき、
前記通信端末および前記移動機の組が連係するに際し、該通信端末は、
該移動機に対応する該移動機内に記憶された電話番号を読み出し、
その読み出した電話番号に対応する、前記リストから検索したＩＰアドレスを用いて前記パケット通信を行うことを特徴とするＩＰアドレス設定方法。
【請求項４】
通信端末のＩＰアドレスと該通信端末に連係する移動機の電話番号との組み合わせが、予め登録したＩＰアドレスおよび電話番号の組み合わせと一致したときのみ、当該通信端末および移動機の組によるパケット通信を許可するようにした通信サービスにおいて、
前記通信端末および前記移動機の組が連係するに際し、該通信端末は、
前記移動機のメモリ内に特定の認識ＩＤと対にして記憶された該移動機に対応するＩＰアドレスを、該認識ＩＤを検索キーとして検出し、
検出された該ＩＰアドレスを用いて前記パケット通信を行うことを特徴とするＩＰアドレス設定方法。
【請求項５】
通信端末のＩＰアドレスと該通信端末に連係する移動機の電話番号との組み合わせが、予め登録したＩＰアドレスおよび電話番号の組み合わせと一致したときのみ、当該通信端末および移動機の組によるパケット通信を許可するようにした通信サービスにおいて、
前記通信端末および前記移動機の組が連係するに際し、該通信端末は、
前記移動機のメモリ内に、電話番号ではなくＩＰアドレスであることを表す特定の識別ＩＤと対にして記憶された、該移動機に対応するＩＰアドレスを、該識別ＩＤと共に読み出し、
該識別ＩＤの付されたＩＰアドレスであることが確認されたＩＰアドレスを用いて前記パケット通信を行うことを特徴とするＩＰアドレス設定方法。
【請求項６】
前記リストのオリジナルを外部の記録手段に保有させ、
前記通信端末および前記移動機の組が連係するに際し、該通信端末は、
前記リストを前記外部の記録手段から取り込んで使用することを特徴とする請求項１または２に記載のＩＰアドレス設定方法。
【請求項７】
前記外部の記録手段は、前記通信サービスを行うネットワークとは別のネットワーク内のセンタに設けられ、前記通信端末は、前記パケット通信とは異なる通信方式で前記リストを前記記録手段から受信することを特徴とする請求項６に記載のＩＰアドレス設定方法。
【請求項８】
前記外部の記録手段は、前記通信端末に挿抜自在のＩＣカードとして形成されることを特徴とする請求項６に記載のＩＰアドレス設定方法。
【請求項９】
通信元となる通信端末のＩＰアドレスと該通信端末に連係する移動機の電話番号との組み合わせが、予め登録したＩＰアドレスおよび電話番号の組み合わせと一致したときのみ、当該通信端末から当該移動機を介し、通信網を経由した通信先とのパケット通信を許可するようにした通信サービスを受ける通信端末であって、
前記通信端末は、
前記移動機と連係するに際し、該移動機を特定する情報を該移動機から読み取って当該移動機に対応するＩＰアドレスを特定する通信端末側ＩＰアドレス特定手段を備えることを特徴とする通信端末。
【請求項１０】
通信元となる通信端末のＩＰアドレスと該通信端末に連係する移動機の電話番号との組み合わせが、予め登録したＩＰアドレスおよび電話番号の組み合わせと一致したときのみ、当該通信端末から当該移動機を介し、通信網を経由した通信先とのパケット通信を許可するようにした通信サービスを受ける移動機であって、
前記移動機は、
該移動機を特定する情報を自内に記憶して、前記通信端末と連係するに際し、該通信端末が、該移動機に対応するＩＰアドレスを特定するに要する該情報を該通信端末に対し送出する移動機側ＩＰアドレス特定手段を備えることを特徴とする移動機。
【発明の詳細な説明】
【０００１】
【発明の属する技術分野】
本発明は、通信端末のＩＰアドレスと該通信端末に連係する移動機の電話番号との組み合わせが、予め登録したＩＰアドレスおよび電話番号の組み合わせと一致したときのみ、当該通信端末および移動機の組によるパケット通信を許可するようにした通信サービスにおける、ＩＰアドレス設定方法、通信端末および移動機に関する。
【０００２】
上記の通信サービスとしては、例えばＮＴＴが提供するパケット通信サービス“ＤｏＰａ”がある。このパケット通信サービスはユーザに種々の利点をもたらすが、その中の１つとしてセキュリティの確保がある。本発明はこのセキュリティの確保に着目したものである。なお本発明の適用は上記のパケット通信サービス“ＤｏＰａ”に限定されるものではないが、主としてこの“ＤｏＰａ”を例にとって説明する。
【０００３】
【従来の技術】
図８は本発明の前提をなすパケット通信サービスシステムを表す図である。
本図において、右端の参照番号１６は企業ＬＡＮ（イントラネット）を表している。企業ＬＡＮ１６は通信端末１１と通信を行う場合、この通信端末１１と接続する移動機（携帯電話）１２を介し、さらには基地局１４を介して、データのやりとりを行う。
【０００４】
この場合、通信端末１１および移動機１２と企業ＬＡＮとの間の通信を、特定のパケット通信サービス網（“ＤｏＰａ”網）１３を通じて行うようにすると、特別のサービスを受けることができる。この特別のサービスとしては、既述のセキュリティの確保がある。すなわち、予め登録された、通信端末１１および移動機１２の組以外の他の組から、企業ＬＡＮ１６へのアクセスは、不正なアクセスとして、サービス網１３とのセッションを確立することができない。
【０００５】
具体的には、パケット通信サービス網（ＤｏＰａ）１３内にパケットゲートウェイ（ＰＧＷ）１５があり、ここには、ユーザとの契約等に基づき、ＩＰアドレスと電話番号（Ｔｅｌ−Ｎｏ）との組み合わせが登録される。
このＩＰアドレスは、通信端末１１がこれと対をなす移動機１２を通して網１３側とパケット通信を行うときに各パケットに付与されるものである。
【０００６】
また電話番号（Ｔｅｌ−Ｎｏ）は、通信端末１１と対をなす移動機１２が保有する電話番号である。
本図中に例示する２台の移動機１２は、電話番号としてＴｅｌ−Ｎｏ＝ＢおよびＴｅｌ−Ｎｏ＝Ｃをそれぞれ有している。一方、通信端末１１はＩＰアドレス＝Ａを保有する。
【０００７】
この場合、通信端末１１（ＩＰアドレス＝Ａ）と移動機１２（Ｔｅｌ−Ｎｏ＝Ｂ）とが組になって使用されるものとすると、この組からのアクセスは、パケット通信網１３内のＰＧＷ１５にて、その適／不適がチェックされる。今、ＰＧＷ１５内には、この組のＩＰアドレス（Ａ）と電話番号（Ｂ）が登録されており、これと一致するので当該アクセスは正当なものと判断され、企業ＬＡＮ１６との通信が許可される。
【０００８】
一方、上記通信端末１１と別の移動機１２（Ｔｅｌ−Ｎｏ＝Ｃ）とが組になって使用されたものとすると、この組は、ＰＧＷ１５内に登録された組と一致せず、該組からのアクセスは不正なものと判断され、網１３とのセッションが確立されないので、企業ＬＡＮ１６との通信は拒否される。
【０００９】
【発明が解決しようとする課題】
上記のように、通信端末１１へのＩＰアドレス付与方式を固定アサイン方式とするパケット通信サービスは、“ＤｏＰａ”を企業ＬＡＮ１６と接続して利用する場合に多く見られ、その利用パターンとしては次の２つがある。
（ｉ）端末としてパーソナルコンピュータ（ＰＣ）等を用い、イントラネットを外部から利用するパターン。
【００１０】
このパターンでは、ＰＣと移動機の組み合わせを変更しても、そのときは、ＰＣのＩＰアドレスの情報を変更しさえすれば良い。ＰＣは変更しやすいＨＭＩ（Ｈｕｍａｎ  Ｍａｃｈｉｎｅ  Ｉｎｔｅｒｆａｃｅ）であり、余り問題はない。
（ii）輸送車両（トラック）の運行管理に利用するパターン。
このパターンでは、通信端末と移動機との組を各輸送車両にくくりつけとするシステムが多い。
【００１１】
後者のパターン（ii）についてさらに考察すると、移動機を用いたパケット通信において、ＩＰアドレスの固定アサインができることから、その移動機を用いた、ＧＰＳによるトラック等の位置管理等を行う業務用車両運行管理システムを実現することができる。
かかる業務用車両運行管理システムのもとでは、毎朝、事業所に保管される複数の移動機のうちの所定の１台を各運転手が持ち出し、各運転手毎に割り当てられた車両に乗り込んで、当該車両にくくりつけの通信端末にその移動機を接続し、当日の集配作業を開始する、ということが行われる。
【００１２】
この場合、固定アサイン方式であるから、上記の通信端末と移動機との組み合わせを固定にしておく必要がある。しかし、実際上は、運転手毎に専用の移動機を携帯するのが普通であり、運転手の交代があったときは、交代後の車両にくくりつけの通信端末とその運転手が携帯する移動機との組み合わせが、登録した組み合わせから外れてしまう。
【００１３】
そこで、そのような交代があった車両の通信端末のＩＰアドレスを、新たに交代した移動機に対応するＩＰアドレスに変更するという操作を、交代の都度行うことになる。
しかしそのような操作を簡単に行うためのＨＭＩを一般の通信端末は備えておらず、かかる操作は運転手にとって煩しくまた時間がかかって非能率である、という問題がある。また、そのような操作を行っても正確にこれを行える保証もない。
【００１４】
したがって本発明は、上記問題点に鑑み、固定アサイン方式のもとでの通信端末と移動機の組み合わせに変更があっても、自動的に登録したＩＰアドレスと電話番号の組み合わせに変更可能なＩＰアドレス設定方法を提供し、また、そのための通信端末および移動機を提供することを目的とするものである。
【００１５】
【課題を解決するための手段】
図１は本発明の基本構成を示す図である。
本図に示す通信端末１１および移動機１２は、基本的に、通信端末のＩＰアドレスと該通信端末に連係する移動機の電話番号との組み合わせが、予め登録したＩＰアドレスおよび電話番号の組み合わせと一致したときのみ、当該通信端末および移動機の組によるパケット通信を許可するようにした通信サービスを受ける、通信端末および移動機である。
【００１６】
ここに通信端末１１は、移動機と連係するに際し、該移動機を特定する情報ＩＮＦを該移動機から読み取って当該移動機に対応するＩＰアドレスを特定する通信端末側ＩＰアドレス特定手段２１を備えることを特徴とし、また
移動機１２は、該移動機を特定する情報ＩＮＦを自内に記憶して、通信端末と連係するに際し、該通信端末が、該移動機に対応するＩＰアドレスを特定するに要する該情報ＩＮＦを該通信端末に対し送出する移動機側ＩＰアドレス特定手段２２を備えることを特徴とするものである。
【００１７】
さらに具体的には、本図中の〈１〉、〈２〉…に沿って動作する。
〈１〉ＩＰアドレス特定手段２１は、ＩＰアドレス特定手段２２より情報ＩＮＦを得、
〈２〉通信端末１１は、移動機１２に対して発呼を行い、
〈３〉これを受けて移動機１２は、網１３に対して発呼を行い、
〈４〉通信端末１１は、上記〈１〉で得た情報ＩＮＦからＩＰアドレスを割り出し、このＩＰアドレスを用いて、移動機１２を介し、網１３とパケット接続を行う。
【００１８】
代表例としては、ＩＰアドレス特定手段２２は、当該移動機１２の電話番号と対をなす登録されたＩＰアドレスを、情報ＩＮＦとして通信端末１１に渡し、通信端末１１はその渡されたＩＰアドレスを用いてパケット接続を行う。
このように通信端末１１は自らＩＰアドレスを保有せず、対になって連係する移動機１２毎に改めて当該移動機１２にアサインされたＩＰアドレスを当該移動機１２から直接に、また、自動的に得て、網１３にパケット接続する。したがって、通信端末１１はいずれの移動機１２と連係しようとも、固定アサインの関係が失われることはない。しかも、ユーザ（上記の例の運転手）に何ら特別な操作を強いるものでなく、かつ、確実に固定アサインの関係を確立することができる。
【００１９】
【発明の実施の形態】
図２は本発明に係る方法の第１実施例を表すシーケンス図である。
本第１実施例ならびに後述する各実施例は、通信端末１１のＩＰアドレスと該通信端末１１に連係する移動機１２の電話番号との組み合わせが、予め登録したＩＰアドレスおよび電話番号の組み合わせと一致したときのみ、当該通信端末および移動機の組によるパケット通信を許可するようにした通信サービスについて適用されるＩＰアドレス設定方法である。
【００２０】
ここに第１実施例によるＩＰアドレス設定方法によれば、
通信端末１１および移動機１２の組が連係するに際し、該通信端末は、
該移動機の電話番号に対応する該移動機内に記憶されたＩＰアドレスを読み出すステップと、
その読み出したＩＰアドレスを用いて上述のパケット通信を行うステップとにより動作する。
【００２１】
図２を参照すると、本図中のステップ〈１〉、〈２〉…〈４〉は、図１に示す〈１〉、〈２〉…〈４〉に対応する。
ステップ〈１〉で、ＩＰアドレス特定手段２１により移動機１２内の既存の電話番号メモリ３１から読み取ったＩＰアドレス（＝Ａ）を、ステップ〈３〉のパケット接続のときに用いる、ことがポイントである。
【００２２】
網１３が、通常の手順にて、上記ＩＰアドレス（＝Ａ）と移動機１２の電話番号Ｔｅｌ−Ｎｏ（＝Ｂ）の組み合わせが、登録されていることを確認すると、パケット通信が許可される。
上記の電話番号メモリ３１は、ＩＰアドレス特定手段２２内に専用に設けられても良いが、既存のメモリを流用するのが経済的である。図２においては、該メモリ３１内の特定のアドレス例えばメモリ番号９９のところにＩＰアドレスが格納されている。
【００２３】
一般にＩＰアドレスはＩＰ１．ＩＰ２．ＩＰ３．ＩＰ４（ＩＰ１〜４は０〜２５５の値をとる）と表わせ、
ＩＰアドレスが仮にＡ＝１７２．１６．１．１であるとすると、メモリ３１内には、
１７２０１６００１００１の形式で記録することができる（電話番号は通常１２桁以上記憶可能）。
【００２４】
図３は本発明に係る方法の第２実施例を表すシーケンス図である。
第２実施例によれば、まず、予め登録したＩＰアドレスおよび電話番号の組み合わせの全てのリストを、それぞれの組にリスト番号を付して通信端末１１内に予め記憶しておく。
通信端末１１および移動機１２の組が連係するに際し、該通信端末は、
移動機１２に対応する該移動機内に記憶されたリスト番号を読み出し、
その読み出したリスト番号に対応する、リストから検索したＩＰアドレスを用いてパケット通信を行う。
【００２５】
図３を参照すると、通信端末１１は上記のリストをＩＰリスト３２として保持する。一方、移動機１２は適宜のメモリ内に自己に固有のリスト番号、例えばリスト番号＝１を保持する。
通信端末１１は、ステップ〈１〉においてまず移動機１２内のリスト番号＝１を読み出し、このリスト番号＝１をもってＩＰリスト３２を検索する。このリスト番号＝１から対応するＩＰアドレス＝Ａを抽出すると、このＩＰアドレス＝Ａをステップ〈３〉のパケット接続のときに用いる。ＩＰリスト３２内のリスト番号およびＩＰアドレスを上述の例にならって表すと以下のとおりである。左側はリスト番号を、右側はＩＰアドレスを示す。
【００２６】
「０」→１７２．１６．１．１．
「１」→１７２．１６．１．１．
「２」→１７２．１６．１．１．
この実施例によれば、移動機１２のユーザは、ＩＰアドレスより遥かに単純なリスト番号を書き込めば良いことになる。
【００２７】
図４は本発明に係る方法の第３実施例を表すシーケンス図である。
第３実施例によれば、まず、予め登録したＩＰアドレスおよび電話番号の組み合わせの全てのリストを、通信端末１１内に予め記憶しておく。
通信端末１１および移動機１２の組が連係するに際し、該通信端末は、
移動機１２に対応する該移動機内に記憶された電話番号を読み出し、
その読み出した電話番号に対応する、上記のリストから検索したＩＰアドレスを用いてパケット通信を行う。
【００２８】
図４を参照すると、通信端末１１は上記のリストを電話リスト３３として保持する。
通信端末１１は、ステップ〈１〉においてまず移動機１２から移動機１２自身の電話番号を読み出し、この電話番号をもって電話リスト３３を検索する。そしてこの電話番号から対応するＩＰアドレス＝Ａを抽出すると、このＩＰアドレス＝Ａをステップ〈３〉のパケット接続のときに用いる。電話リスト３３内の電話番号およびＩＰアドレスを上述の例にならって表すと以下のとおりである。左側は電話番号を、右側はＩＰアドレスを示す。
【００２９】
０９０１２３４５６７８→１７２．１６．１．１．
０９０３４５６７８９０→１７２．１６．１．２．
０９０１１１１１１１１→１７２．１６．１．３．
図５は本発明に係る方法の第４実施例を表すシーケンス図である。
第４実施例によれば、通信端末１１および移動機１２の組が連係するに際し、該通信端末は、
移動機１２のメモリ内に特定の認識ＩＤと対にして記憶された該移動機に対応するＩＰアドレスを、該認識ＩＤを検索キーとして検出し、
検出された該ＩＰアドレスを用いてパケット通信を行う。
【００３０】
図５を参照すると、移動機１２は、自内のメモリ３４に各メモリ番号順に、認識ＩＤ（＝ＸＹＺ）と共にＩＰアドレス＝Ａを書き込む。
一方、通信端末１１は、移動機１２内のメモリ３４を検索するに当り、その認識ＩＤ（＝ＸＹＺ）をもって求めるＩＰアドレスを検索する。
移動機１２のユーザは、該移動機内の電話番号メモリ３４におけるメモリ番号９９に上記ＩＰアドレスを書き込むように指示されているが、どのユーザもそのメモリ番号９９に誤りなくＩＰアドレスを書き込むことは保証されない。そこで、ＩＰアドレスをメモリ３４に書き込むときは、ＩＰアドレスであることを示す所定の認識ＩＤ（例えばＸＹＺ）をそのＩＰアドレスと対にして書き込むことにする。
【００３１】
そうすれば通信端末１１は、その認識ＩＤをもってメモリ３４を読み出したとき、必ず所望のＩＰアドレスを得ることが保証される。
図６は本発明に係る方法の第５実施例を表すシーケンス図である。
第５実施例によれば、通信端末１１および移動機１２の組が連係するに際し、該通信端末は、
移動機１２のメモリ内に、電話番号ではなくＩＰアドレスであることを表す特定の識別ＩＤと対にして記憶された、該移動機に対応するＩＰアドレスを、該識別ＩＤと共に読み出し、
該識別ＩＤの付されたＩＰアドレスであることが確認されたＩＰアドレスを用いてパケット通信を行う。
【００３２】
図６を参照すると、上記メモリは電話番号メモリ３５として示される。このメモリ３５内の所定のメモリ番号９９には、識別ＩＤが例えば“ＵＶＷ”として付されると共にＩＰアドレス＝Ａが書き込まれる。
一方、通信端末１１は移動機１２内のメモリ３５の所定のメモリ番号（＝９９）をアクセスしてその内容を読み出す。このとき通信端末１１内のＩＰアドレス特定手段２１は、図６の左側のステップ〈１′〉を実行する。すなわち、メモリ３５から読み出した内容に識別ＩＤ＝ＵＶＷが付されているか否かチェックする。そしてＵＶＷが付されていることが確認されたＩＰアドレス＝Ａを、ステップ〈３〉に与える。
【００３３】
移動機１２のユーザは、メモリ３５のメモリ番号例えば９９に自己のＩＰアドレスを書き込むように指示されている。しかしどのユーザもそこに必ずＩＰアドレスを書き込むとは限らず、誤って電話番号を書き込んでしまうこともあり得る。
そこでＩＰアドレスの書き込むに際しては必ずＵＶＷもメモリ３５の名称部に書き込むようにしておく。一方、通信端末１１は、メモリ３５から読み出した情報（電話番号かＩＰアドレスか特定されていない）について、ＩＰアドレス特定手段２１にてＵＶＷ付きか判定する手順を追加し、その判定結果がＹｅｓとなった情報をＩＰアドレスとして特定し、ステップ〈３〉に与える。
【００３４】
なお以上述べたＩＰアドレス特定手段２２は、実際には、通信端末１１内のＣＰＵ（図７の４３）を動作させる既存のプログラム（図７のメモリ４４に常駐）に対し追加／修正を加えて実現することができる。
図７は本発明に係る方法の第６および第７実施例を表す図である。
これら第６および第７実施例は、上位概念としては、前述したＩＰリスト３２（図３）や電話リスト３３等のリストのオリジナルを外部の記録手段４１に保有させる。そして通信端末１１および移動機１２の組が連係するに際し、該通信端末は、上記のリスト（３２，３３）を外部の記録手段４１から取り込んで使用するようにする。
【００３５】
具体的には、まず、第６実施例によれば、外部の記録手段４１は、前記通信サービスを行うネットワーク１３とは別のネットワーク内のセンタ４１ａに設けられ、通信端末１１は、上記パケット通信とは異なる通信方式でリスト（３２，３３）を記録手段４１ａから受信するようにする。この場合の通信方式は例えば回線交換方式である。場合によってはモデムを併用する必要がある。
【００３６】
次に第７実施例によれば、外部の記録手段４１は、通信端末１１にカード受容口４２を介して挿抜自在のＩＣカード４１ｂとして形成される。この実施例では、ＩＣカード４１ｂがないとパケット通信が実現しないので、セキュリティは一層確かなものとなる。
また第６および第７実施例によれば、少なくとも通信端末１１については、どの業務用車両運行管理システムについても全く同一のハードウェア構成で良いから、その製造工程は簡素化される。
【００３７】
【発明の効果】
以上説明したように本発明によれば、例えば業務用車両運行管理システムのように、通信端末とこれに連係する移動機のうち、通信端末の方は車両に常にくくりつけであるのに対し移動機の方は常に人（運転手）に付いてまわるといった状況のもとでも、通信端末（ＩＰアドレス）と移動機（電話番号）の組み合わせは自由に変更できないという固定アサイン方式での制限条件を、人（運転手）に何ら特別の操作を強いることなく、自動的に、かつ、確実に遵守可能とするＩＰアドレス設定方法が実現される。
【図面の簡単な説明】
【図１】本発明の基本構成を示す図である。
【図２】本発明に係る方法の第１実施例を表すシーケンス図である。
【図３】本発明に係る方法の第２実施例を表すシーケンス図である。
【図４】本発明に係る方法の第３実施例を表すシーケンス図である。
【図５】本発明に係る方法の第４実施例を表すシーケンス図である。
【図６】本発明に係る方法の第５実施例を表すシーケンス図である。
【図７】本発明に係る方法の第６および第７実施例を表す図である。
【図８】本発明の前提をなすパケット通信サービスシステムを表す図である。
【符号の説明】
１１…通信端末
１２…移動機（携帯電話）
１３…パケット通信サービス網（“ＤｏＰａ”）
１５…パケットゲートウェイ（ＰＧＷ）
１６…企業ＬＡＮ
２１…通信端末側ＩＰアドレス特定手段
２２…移動機側ＩＰアドレス特定手段
３１…電話番号メモリ
３２…ＩＰリスト
３３…電話リスト
３４…電話番号メモリ
３５…電話番号メモリ
４１…外部の記録手段
４１ａ…センタ
４１ｂ…ＩＣカード
４３…ＣＰＵ
４４…メモリ
【図１】
0003698649.tif 000002
【図２】
0003698649.tif 000003
【図３】
0003698649.tif 000004
【図４】
0003698649.tif 000005
【図５】
0003698649.tif 000006
【図６】
0003698649.tif 000007
【図７】
0003698649.tif 000008
【図８】
0003698649.tif 000009